(57)【要約】【課題】  異なるインターフェース、または特殊規格のコネクタに合わせて用いることができ、使用上、より簡単で、且つ、フレキシブル性を備えたコネクタモジュールを提供する。従来の特殊規格のコネクタの価格が高くなり、困難をきたすなどの欠点を解決する。【解決手段】  モーターを外部装置と電気的接続させるためのコネクタモジュールであって、それぞれ第一端子と、相対する第二端子を有する少なくとも一つの回路線を有するプリント基板、およびそれぞれ第一端部と、相対する第二端部を有する複数のピンを含み、前記回路線の第一端子と前記モーターの入力端子が電気的接続し、前記回路線の第二端子と前記ピンの第一端部が接続し、前記ピンの第二端部が前記外部装置と電気的接続をする。【選択図】図２Ａ
2006059795.tif 000002
【特許請求の範囲】
【請求項１】
モーターを外部装置と電気的接続させるためのコネクタモジュールであって、
それぞれ第一端子と、相対する第二端子を有する少なくとも一つの回路線を有するプリント基板、および
それぞれ第一端部と、相対する第二端部を有する複数のピンを含み、
前記回路線の第一端子と前記モーターの入力端子が電気的接続し、前記回路線の第二端子と前記ピンの第一端部が接続し、前記ピンの第二端部が前記外部装置と電気的接続をするコネクタモジュール。
【請求項２】
前記モーターハウジングの上は、開孔を有し、前記入力端子を開孔によって、モーターハウジングから出すことができ、前記外部装置と電気的接続し、且つ、前記プリント基板は、前記開孔の上方に設置され、前記プリント基板の大きさは、前記開孔の大きさより大きい、または等しい請求項１に記載のコネクタモジュール。
【請求項３】
前記回路線の第二端子と前記ピンの第一端部は、溶接方式によって接続され、前記回路線の第二端子の配置位置は、必要なインターフェースに基づいて、調整することができる請求項１に記載のコネクタモジュール。
【請求項４】
前記回路線の第二端子の配置位置は、治具によって制御され、必要なインターフェースに基づいて、調整する請求項１に記載のコネクタモジュール。
【請求項５】
前記回路線の第二端子の配置位置は、必要なインターフェースに基づいて、調整することができ、前記ピンのピッチは、前記回路線の第二端子の配置位置に相対して決定される請求項１に記載のコネクタモジュール。
【請求項６】
前記モーターは、更にホルダーを有し、モーターハウジングの底部となり、前記ホルダーは、絶縁材料である請求項１に記載のコネクタモジュール。
【請求項７】
前記モーターは、更にホルダーを有し、モーターハウジングの底部となり、前記プリント基板の一つ側は、前記ホルダーに隣接し、且つ、前記ホルダーは、前記ピンを穿通させ、固定し、前記ホルダーは、絶縁材料である請求項１に記載のコネクタモジュール。
【請求項８】
前記モーターは、車の計器板の針の動きを駆動する請求項１に記載のコネクタモジュール。
【発明の詳細な説明】
【技術分野】
【０００１】
本発明は、コネクタモジュールに関し、特に、モーターに用いるコネクタモジュールに関するものである。
【背景技術】
【０００２】
コネクタは、一般に、電子信号と電源に用いられている全ての接続装置とその付属部品を指している。コネクタが全ての信号間のパイプであることから、その品質の良し悪しは、電流と信号の伝送の確実性に影響するだけでなく、全体的な電子製品の運転品質にも影響を及ぼす。
【０００３】
モーターなどの電気製品で言えば、コネクタを通してインターフェースとし、外部装置と電気的に接続をすることができる。この外部装置は例えば、外部電源であり、モーター１０をコネクタによって外部電源と電気接続させた後、軸１６を駆動し、運転する。図１Ａと図１Ｂを参照する。図１Ａは、モーターに用いられる従来のインターフェースの上面図を示しており、図１Ｂは、図１Ａの従来のインターフェースの側面図を示している。モーター１０の入力端子の個所、つまり、ハウジング１１の開孔１２の上方にプリント基板（ｐｒｉｎｔｅｄ  Ｗｉｒｉｎｇ  Ｂｏａｒｄ、 ＰＷＢ）１３を設置し、コネクタ１４ａをプリント基板１３に実装、または溶接する。基板１３の上は、回路線が配置され、モーター１０とコネクタ１４ａに導通する。しかし、電気的接続をする外部装置の違いに伴って、そのインターフェースの規格も異なることから、用いられるコネクタも同じでない。しかし、各種のコネクタのインターフェースのピッチが固定していることから、必要なインターフェースの規格に合わせて変更し、換えることができず、使用範囲に限界をきたす。
【０００４】
図１Ｃと図１Ｄを参照する。図１Ｃは、モーターに用いられる他の従来のインターフェースの上面図を示しており、図１Ｄは、図１Ｃの従来のインターフェースの側面図を示している。他のよくある作り方は、直接、コネクタをモーター１０の入力端子に実装、または溶接する。つまり、ハウジング１１の開孔１２の個所に直接、コネクタ１４ａを設置し、コネクタ１４ａの一つの端子は、直接、モーター１０と接続し、コネクタ１４ａのもう一つの端子は、複数のピンまたは長形端子１７で外部装置と接続する。この外部装置は、例えば、外部電源であり、モーター１０をコネクタ１４ｂによって外部電源と電気接続できるようにさせた後、軸１６を駆動し、運転する。しかし、構造が比較的複雑であるコネクタ１４ｂは、その価格も特に高くなり、部分的に特殊規格のコネクタは、一般的に購入が容易でなく、困難をきたす。
【０００５】
また、図１Ｅと図１Ｆを参照する。図１Ｅは、モーターに用いられる他の従来のインターフェースの上面図を示しており、図１Ｆは、図１Ｅの従来のインターフェースの側面図を示している。更に他の従来例では、プリント基板と構造が複雑なコネクタを取り除き、ピン、または長形端子１７を用いて直接、モーターの入力端子１９に溶接する。しかし、ピン、または長形端子１７をハウジング１１の開孔１２の個所から出たモーター入力端子１９と一緒に溶接する場合、開孔１２が直接、モーターの内部構造を露出することから、溶接の時、錫の浮きかす、またはその他の異物が開孔１２を通じて、モーターの内部に落ち入り、モーターの正常な運転にひどく影響を及ぼす。
【発明の開示】
【発明が解決しようとする課題】
【０００６】
よって、上述の問題を解決するために、本発明は、異なるインターフェース、または特殊規格のコネクタに合わせて用いることができ、使用上、より簡単で、且つ、フレキシブル性を備えたコネクタモジュールを提供し、且つ、従来の特殊規格のコネクタの価格が高くなり、困難をきたすなどの欠点を解決する。
【課題を解決するための手段】
【０００７】
本発明の目的に基づいて、モーターを外部装置と電気的接続させるためのコネクタモジュールを提供する。このコネクタモジュールは、プリント基板と複数のピンを含む。プリント基板は、少なくとも一つの回路線を有し、且つ、各回路線は、第一端子と、相対する第二端子を有し、各ピンも第一端部と、相対する第二端部を有する。回路線の第一端子とモーターの入力端子が電気的接続し、回路線の第二端子とピンの第一端部が接続し、ピンの第二端部が外部装置と電気的接続をする。モーターハウジングの上は、開孔を有し、入力端子をこの開孔によって、モーターハウジングから出すことができ、外部装置と電気的接続する。プリント基板は、開孔の上方に設置され、且つ、プリント基板の大きさは、開孔の大きさより大きいか、または等しい。
【０００８】
本発明のもう一つの目的に基づいて、外部装置と電気的接続するモーターを提供し、モーターは、車の計器板の針の動きを駆動する。モーターは、入力端子とコネクタモジュールを含む。コネクタモジュールは、プリント基板と複数のピンを含む。プリント基板は、少なくとも一つの回路線を有し、且つ、各回路線は、第一端子と、相対する第二端子を有し、各ピンも第一端部と、相対する第二端部を有する。回路線の第一端子とモーターの入力端子が電気的接続し、回路線の第二端子とピンの第一端部が接続し、ピンの第二端部が外部装置と電気的接続をする。モーターハウジングの上は、開孔を有し、入力端子をこの開孔によって、モーターハウジングから出すことができ、外部装置と電気的接続する。プリント基板は、開孔の上方に設置され、且つ、プリント基板の大きさは、開孔の大きさより大きいか、または等しい。
【発明の効果】
【０００９】
本発明のコネクタモジュ−ルによれば、プリント基板上の配置の変更と、ピンのピッチ、長さ、幅などの方式を変えることによって、異なるインターフェース、または特殊規格のコネクタに合わせて用いることができ、使用上、より簡単で、且つ、フレキシブル性を備え、且つ、従来の特殊規格のコネクタの価格が高くなり、困難をきたすなどの欠点を解決することができる。
【発明を実施するための最良の形態】
【００１０】
本発明についての目的、特徴、長所が一層明確に理解されるよう、以下に実施形態を例示し、図面を参照にしながら、詳細に説明する。
【実施例】
【００１１】
図２Ａと図２Ｂを参照する。図２Ａは、本発明の好ましい実施例に基づいたコネクタモジュールとその用いているモーターの上面図を示しており、図２Ｂは、図２Ａのコネクタモジュールとその用いているモーターの側面図を示している。本発明のモーター２０は、コネクタモジュール２４を通して外部装置と電気的接続をする。この外部装置は例えば、外部電源であり、モーター２０に軸２６の運転をできるようにさせる。軸２６の運転は、例えば車の計器板の針の動きを駆動するのに用いることができる。
【００１２】
モーター２０は、入力端子２９とコネクタモジュール２４を含む。コネクタモジュール２４は、プリント基板２３と複数のピン２７、または長形端子を含む。プリント基板２３の材料は、絶縁材料であり、プリント基板２３の上は、少なくとも一つの回路線２３１を有し、各回路線の第一端子２３１ａと、相対する第二端子２３１ｂを電気的に導通する。また、各ピンもまた、第一端部２７ａと、相対する第二端部２７ｂを有する。回路線の第一端子２３１ａとモーター入力端子２９が電気的接続をし、回路線の第二端子２３１ｂとピンの第一端部２７ａが接続し、ピンの第二端部２７ｂが外部装置と電気的接続をする。このように、モーター入力端子２９は、プリント基板２３上の回路線２３１とピン２７によって、外部装置と電気的接続をすることができる。
【００１３】
モーターのハウジング２１は、開孔２２を有し、モーター入力端子２９を開孔２２によって、モーターのハウジング２１から出すことができ、回路線の第一端子２３１ａと接続させる。回路線の第二端子２３１ｂとピンの第一端部２７ａの接続方式は、制限しておらず、好ましいのは、溶接方式によって達成する。また、治具を用いて制御し、回路線の第二端子２３１ｂとピンの第一端部２７ａの配置位置を決定し、必要なインターフェースに基づいて、そのピンが必要なピッチを調整することができる。ピンのピッチは、前記回路線の第二端子の配置位置に相対して決定される。
【００１４】
プリント基板２３が開孔２２の上方に設置されることから、プリント基板２３の大きさは、開孔２２の大きさより大きいか、または等しい。よって、開孔２２は、プリント基板２３に遮蔽され、溶接時の錫の浮きかす、またはその他の異物がモーターの内部に入ることなく、モーターの内部構造が保護される。
【００１５】
また、図３を参照する。本発明の好ましい実施例に基づいたもう一つのコネクタモジュールとその用いているモーターの上面図を示している。電気的接続をする外部装置の違いに伴って、必要なインターフェースに基づいて、回路線の第二端子の配置位置を調整し、各種のコネクタに取って代わり、使用上、より簡単で、フレキシブル性を備えさせる。
【００１６】
図３では、モーター３０は、コネクタモジュール３４を通して、外部装置と電気的接続し、且つ、この外部装置のインターフェースの規格は、コネクタモジュール３４が接続している外部装置と異なるため、各回路線３３１の第二端子３３１ｂの相対する配置位置は、需要に基づいて適当な調整をし、ピン３７のピッチを接続する外部装置に合わせることができる。つまり、プリント基板３３のレイアウトの変更と、ピン３７のピッチ、長さ、幅などの方式を変えることで、早く容易にインターフェースを変化させることができ、コネクタモジュール２４、３４によりフレキシブルな空間を持たせ、より広範な応用をさせる。
【００１７】
また、より好ましくは、モーター２０は更に、ホルダー２５を有することができ、軸２６がホルダー２５の中央に穿通する。ホルダー２５は、モーターハウジング２１の底部となり、ホルダー２５の材料は、例えばプラスチックなどの絶縁材料である。更に、ホルダー２５は、外に向けて延伸することができ、プリント基板２３の一つ側をホルダー２５に隣接することができ、ピン２７を穿通させ、ピンの固定の功能を提供することができる。
【００１８】
上述のように、上述の好ましい実施例のコネクタモジュ−ルは、プリント基板にピンの簡単な構造を加えることで、従来のコネクタの功能に取って代わる。
【００１９】
ピンとプリント基板が現在極めて熟達しており、且つ、大量生産できる製品であることから、価格が非常に低廉であり、よって、このコネクタモジュ−ルのコストも、従来のプリント基板にコネクタを別に加えた、または、一つの比較的複雑なコネクタを単独に用いたのより、経済的である。特に、特殊応用のインターフェースについて、仮に、特殊規格のコネクタを用いる場合、新たに金型を作る費用が掛かるが、本発明のコネクタモジュ−ルは、容易に調整することができ、且つ、金型を作る必要がなく、余分な金型のコストが掛からない。
【００２０】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２１】
【図１Ａ】モーターに用いられる従来のインターフェースの上面図を示している。
【図１Ｂ】図１Ａの従来のインターフェースの側面図を示している。
【図１Ｃ】モーターに用いられる他の従来のインターフェースの上面図を示している。
【図１Ｄ】図１Ｃの従来のインターフェースの側面図を示している。
【図１Ｅ】モーターに用いられる又更に他の従来のインターフェースの上面図を示している。
【図１Ｆ】図１Ｅの従来のインターフェースの側面図を示している。
【図２Ａ】本発明の好ましい実施例に基づいたコネクタモジュールとその用いられているモーターの上面図を示している。
【図２Ｂ】図２Ａのコネクタモジュールとその用いているモーターの側面図を示している。
【図３】本発明の好ましい実施例に基づいたもう一つのコネクタモジュールとその用いているモーターの上面図を示している。
【符号の説明】
【００２２】
１０、２０、３０  モーター
１１、２１  ハウジング
１２、２２  開孔
１３、２３、３３  プリント基板
１４ａ、１４ｂ  コネクタ
１５、２７、３７  ピン
１６、２６  軸
１７  長形端子
１８  溶接点
１９、２９  モーター入力端子
２３１、３３１  回路線
２３１ａ、２３１ｂ、３３１ｂ  端子点
２７ａ、２７ｂ  端部
２４、３４  コネクタモジュール
２５  ホルダー
【図１Ａ】
2006059795.tif 000003
【図１Ｂ】
2006059795.tif 000004
【図１Ｃ】
2006059795.tif 000005
【図１Ｄ】
2006059795.tif 000006
【図１Ｅ】
2006059795.tif 000007
【図１Ｆ】
2006059795.tif 000008
【図２Ａ】
2006059795.tif 000009
【図２Ｂ】
2006059795.tif 000010
【図３】
2006059795.tif 000011